(57)【要約】【課題】タイヤ成型時に、タイヤの内面形状を規定するタイヤ製造用のコアの外面に、接着剤を塗布することなくタイヤ構成部材を保持する。【解決手段】一端部がコア１の外面２１に開口してコア１の内面２２まで貫通する複数の孔Ｈを、コア１の外面２１の全体に亘って開口させて形成する。この各孔Ｈを介して、コア１の内部から外面２１に配置されるタイヤ構成部材Ｔを吸引して吸着し、タイヤ構成部材Ｔをコア１の外面２１に保持する。その状態で、タイヤ構成部材Ｔを順次巻き付けて、コア１の外面２１の全体に配置し、これにより、インナーライナを形成する等して未加硫のタイヤを所定形状及び構造に形成する。【選択図】          図２
2009166281.tif 000002
【特許請求の範囲】
【請求項１】
タイヤ成型時にタイヤ構成部材が外面に配置され、タイヤ成型時及び加硫時にタイヤの内面形状を規定するタイヤ製造用のコアであって、
前記外面に一端部が開口し、タイヤ成型時に前記タイヤ構成部材を前記外面に吸引して保持するとともに、加硫時のタイヤと前記外面との間の気体を排気するための複数の孔を有することを特徴とするタイヤ製造用のコア。
【請求項２】
タイヤ成型時及び加硫時にタイヤの内面形状を規定するタイヤ製造用のコアの外面に、タイヤ構成部材を配置してタイヤを形成するタイヤ製造装置であって、
前記コアが請求項１に記載されたタイヤ製造用のコアであり、
タイヤ成型時に該コアの外面に配置されるタイヤ構成部材を、前記複数の孔を介して吸引して該コアの外面に保持させる吸引手段を備えたことを特徴とするタイヤ製造装置。
【請求項３】
タイヤ成型時及び加硫時にタイヤの内面形状を規定するタイヤ製造用のコアの外面に、タイヤ構成部材を配置してタイヤを形成するタイヤ製造方法であって、
タイヤ成型時に前記コアの外面に前記タイヤ構成部材を配置する工程と、
該配置されるタイヤ構成部材を、前記コアの外面に一端部が開口する複数の孔を介して吸引して該コアの外面に保持する工程と、
を有することを特徴とするタイヤ製造方法。
【請求項４】
請求項３に記載されたタイヤ製造方法において、
前記コアの外面に形成したタイヤを該コアとともに加硫モールド内に収納して加硫する工程と、
該加硫時のタイヤと前記コアの外面との間の気体を前記複数の孔を介して排気する工程と、
を有することを特徴とするタイヤ製造方法。
【請求項５】
請求項４に記載されたタイヤ製造方法において、
前記排気する工程は、前記タイヤとコアの外面との間の気体を前記複数の孔を介して吸引して排気する工程であることを特徴とするタイヤ製造方法。
【発明の詳細な説明】
【技術分野】
【０００１】
本発明は、タイヤの内面形状を規定する外面形状を有し、タイヤ成型時にタイヤ構成部材が外面に配置されるタイヤ製造用のコアと、このコアを使用してタイヤを形成するタイヤ製造装置及びタイヤ製造方法に関する。
【背景技術】
【０００２】
空気入りタイヤは、一般に、未加硫ゴムからなるインナーライナ等の各種のタイヤ構成部材を組み合わせて未加硫のタイヤ（グリーンタイヤ）を成型し、加硫工程を経て所定の形状に形成される。また、このようなタイヤの製造方法として、従来、タイヤの内面形状を規定する剛体のコア（内型）に、各タイヤ構成部材を順次貼り付けて未加硫のタイヤを成型した後、それらを加硫モールド（外型）内に収納して加硫成型する、いわゆるコア成型・加硫方法が知られている（例えば、特許文献１参照）。
【０００３】
ところで、このコアを使用して未加硫のタイヤを成型するときに、未加硫のリボン状や帯状のゴム部材をタイヤ構成部材とし、これをコア外面や下層の部材に巻き付けて貼り合わせ、インナーライナやトレッド等を形成することが行われている。その際、ゴム部材同士は粘着性により互いに貼り付くものの、コアの外面にタイヤ構成部材、例えばリボン状ゴムを直接配置してインナーライナを形成する場合等には、コア外面に対してタイヤ構成部材が充分に貼り付かず、タイヤ成型工程の進行が妨げられることがある。そのため、従来は、コアの外面に予めゴムセメント等の接着剤を塗布してタイヤ構成部材の接着性を確保し、その上からタイヤ構成部材を配置して貼付・保持し、タイヤ成型を行うのが一般的である。
【０００４】
しかしながら、このように接着剤を使用すると、そのコア外面に対する塗布作業に手間や時間を要し、タイヤ製造の生産性が低下する傾向がある。また、この接着剤による接着が不充分になり、タイヤ構成部材の一部がコア外面から剥がれる等して、その間にエア等の気体が包まれて残存した場合には、加硫時に、このタイヤ内面側に入り込んだ気体に起因して、タイヤ内面部材が未加硫状態になる等、製品不良や不具合が発生する恐れもある。一方、接着が充分に行われたときでも、タイヤ構成部材とコア外面との間に部分的に空所ができて気体が包み込まれることがあり、この場合にも、上記と同様に製品不良等が発生する恐れがある。
【０００５】
【特許文献１】特開２００７−５０５９６号公報
【発明の開示】
【発明が解決しようとする課題】
【０００６】
本発明は、前記従来の問題に鑑みなされたものであって、その目的は、タイヤ成型時に、タイヤの内面形状を規定するタイヤ製造用のコアの外面に、接着剤を塗布することなくタイヤ構成部材を保持できるようにし、タイヤ製造の生産性を向上させることである。また、加硫時のタイヤとコア外面との間に気体が入り込んで残るのを抑制し、製品不良や不具合の発生を低減することである。
【課題を解決するための手段】
【０００７】
本発明は、タイヤ成型時にタイヤ構成部材が外面に配置され、タイヤ成型時及び加硫時にタイヤの内面形状を規定するタイヤ製造用のコアであって、前記外面に一端部が開口し、タイヤ成型時に前記タイヤ構成部材を前記外面に吸引して保持するとともに、加硫時のタイヤと前記外面との間の気体を排気するための複数の孔を有することを特徴とする。
また、本発明は、タイヤ成型時及び加硫時にタイヤの内面形状を規定するタイヤ製造用のコアの外面に、タイヤ構成部材を配置してタイヤを形成するタイヤ製造装置であって、前記コアが請求項１に記載されたタイヤ製造用のコアであり、タイヤ成型時に該コアの外面に配置されるタイヤ構成部材を、前記複数の孔を介して吸引して該コアの外面に保持させる吸引手段を備えたことを特徴とする。
更に、本発明は、タイヤ成型時及び加硫時にタイヤの内面形状を規定するタイヤ製造用のコアの外面に、タイヤ構成部材を配置してタイヤを形成するタイヤ製造方法であって、タイヤ成型時に前記コアの外面に前記タイヤ構成部材を配置する工程と、該配置されるタイヤ構成部材を、前記コアの外面に一端部が開口する複数の孔を介して吸引して該コアの外面に保持する工程と、を有することを特徴とする。
【発明の効果】
【０００８】
本発明によれば、タイヤ成型時に、タイヤの内面形状を規定するタイヤ製造用のコアの外面に、接着剤を塗布することなくタイヤ構成部材を保持でき、タイヤ製造の生産性を向上させることができる。また、加硫時のタイヤとコア外面との間に気体が入り込んで残るのを抑制でき、製品不良や不具合の発生を低減することができる。
【発明を実施するための最良の形態】
【０００９】
以下、本発明の一実施形態について、図面を参照して説明する。
本実施形態のタイヤ製造装置は、タイヤの成型開始から加硫終了までの間に亘ってタイヤ内に配置され、その内面形状を規定するタイヤ製造用のコア（以下、単にコアという）を備えている。また、タイヤ製造装置は、このコアの外面に、タイヤ構成部材を配置等して所定形状及び構造に成型してタイヤ（未加硫タイヤ）を形成し、成型後のタイヤをコアとともに加硫モールド内に収納して加硫（加硫成型）して所定形状の製品タイヤを製造する装置である。
【００１０】
図１は、本実施形態のタイヤ製造装置が備えるコアを模式的に示す平面図であり、コアの軸線方向から見た要部を概略的に示している。
このタイヤ製造装置が備えるコア１は、金属（例えばアルミニウムや鉄基材料）等の剛体からなる剛体コアであり、図示のように、全体として略環状（トロイダル状）をなし、その外面が、形成するタイヤの内面形状に応じた成型面に形成されている。また、コア１は、その径方向に移動可能な２種類の弧状のセグメント１０、２０が複数ずつ（ここでは５つずつ）、周方向に交互に密着した状態で配置されて構成されている。
【００１１】
これらセグメント１０、２０は互いに形状が異なり、一方のセグメント１０の平面視形状が、径方向外側に向かって次第に広がる略扇形状であるのに対し、他方のセグメント２０の平面視形状は、径方向外側に向かって次第に縮小する、又は実質的に変化しない略矩形状に形成されている。このようにして、各セグメント１０、２０には、コア１の組み立て及び、その加硫後のタイヤからの取り出しができるように、互いの当接面に勾配（抜き勾配）が設けられている。
【００１２】
即ち、コア１は、組み立て時には、各セグメント１０、２０を、当接面の勾配に合わせて径方向に相対的に移動させる等して互いに当接させ、略環状に形成される。一方、コア１を加硫後のタイヤの内側から取り出すときには、まず、前記他方のセグメント２０を順次径方向内側へ移動させて中央孔２から軸線方向に抜き出し、その後、前記一方の各セグメント１０を同様に順次径方向内側へ移動させて軸線方向に抜き出し、コア１の取り出しが行われる。
【００１３】
以上のように、このコア１は、タイヤ成型時及び加硫時にタイヤの内面形状を規定する外面形状を有しており、タイヤ成型時にタイヤ構成部材が外面に配置され、かつタイヤ加硫時にタイヤの内面形状を型付けする内型として機能する。また、コア１は中空構造になっており、各セグメント１０、２０が組み立てられると、その内部に、中央孔２側に向かって開口する略環状の空間ができ、加硫時には、この空間内に加熱媒体を供給・循環させ、内側から加熱してタイヤの加硫成型を進行させる。加えて、このコア１は、外面のタイヤ構成部材が配置される範囲の全体に、主に、タイヤ成型時にタイヤ構成部材を保持し、かつ加硫時にタイヤ構成部材との間の気体（例えばエア）を内部に排気するために使用する複数の孔を有する。
【００１４】
図２は、コア１の一部のセグメントを抜き出して模式的に示す斜視図であり、ここでは、平面視略矩形状のセグメント２０を拡大して示しているが、もう一方のセグメント１０も同様に構成されている。
本実施形態では、図示のように、コア１の各セグメント１０、２０に、その外面（ここでは、セグメント２０の外面２１）の全体に亘って開口する複数の孔（吸引孔及び排気孔）Ｈを略均等に形成し、これにより、タイヤ成型時に、その外面２１に配置されるタイヤ構成部材Ｔを吸引して保持する。また、成型した未加硫のタイヤを加硫する際には、この複数の孔Ｈにより、加硫時のタイヤとコア１外面との間の気体を排気するようになっている。
【００１５】
具体的には、コア１に形成される各孔Ｈは、タイヤ構成部材Ｔが配置されるコア１の外面２１に一端部が開口し、中央孔２側の内面２２まで貫通する略円形孔であり、それぞれコア１の内外を連通させて、内外間での気体の流通を可能にしている。タイヤ成型時には、これら複数の孔Ｈは、コア１の内面２２に開口する他端部側から吸引（吸気）され、外面２１側の一端部にタイヤ構成部材Ｔの対向面を吸い付け、これにより、外面２１側の各開口が密封されてタイヤ構成部材Ｔを吸着し、コア１の外面２１に密着させて保持する吸引孔（吸着孔）として機能する。これに対し、タイヤの加硫時には、複数の孔Ｈは、コア１の外面２１側に残存するエア等、コア１の外面２１と加硫中のタイヤの内面との間の気体を、外面２１側から内面２２側に排出して排気するための排気孔として機能する。
【００１６】
従って、このコア１を使用して未加硫のタイヤを成型する本実施形態のタイヤ製造装置は、タイヤ成型時にコア１の外面に配置されるタイヤ構成部材Ｔを、複数の孔Ｈを介して吸引してコア１の外面に保持させるための吸引（バキューム）手段（図示せず）を備えている。この吸引手段は、例えばコア１の両側の中央孔２を密封する等して、コア１の内部空間を密封する手段や、密封されたコア１内を真空引きする真空ポンプ等から構成され、コア１内の全体を低圧にして各孔Ｈを介してタイヤ構成部材Ｔを内側から吸引する。また、吸引手段は、例えば真空ポンプの吸引配管を複数に分岐させてコア１内に挿入し、各配管の先端を１又は複数個の孔Ｈの内面２２側の開口部に各々接続してつなげ、それらを介してタイヤ構成部材Ｔを吸引してコア１外面に吸着・保持するものであってもよい。
【００１７】
ここで、コア１の外面に吸着して保持するタイヤ構成部材Ｔは、タイヤ成型時に、コア１の外面に最初に供給されて配置される部材であり、ここでは、タイヤの内面を構成するインナーライナを保持する。また、このタイヤ製造装置では、タイヤ構成部材Ｔとして、所定幅で長尺に形成したリボン状のゴム部材を使用し、これを、コア１の周方向に沿って螺旋状に巻き付けて保持しつつ、コア１の外面の略全体に亘って１層又は複数層積層し、インナーライナを形成するようになっている。ただし、タイヤ構成部材Ｔは、コア１の周方向に沿って１回巻き付けることで、その外面の必要な範囲を覆える大きさのシート状や帯状のゴム部材等、他の形状の部材であってもよい。
【００１８】
また、コア１に形成される複数の孔Ｈは、配置されるタイヤ構成部材Ｔの幅等に応じて、その保持が適切に行えるように、互いに適宜間隔を開けて配置される。加えて、孔Ｈの開口部も、タイヤ構成部材Ｔを吸引して保持可能で、かつ、その表面の吸着部に開口部の跡（吸着痕）が大きく付かない程度の大きさに形成され、例えば、タイヤ構成部材Ｔの幅方向に沿って、複数の孔Ｈが位置して、タイヤ構成部材Ｔを確実に吸引・保持できるように形成される。
【００１９】
次に、本実施形態のタイヤ製造装置により、未加硫のタイヤを成型して加硫し、製品タイヤを形成及び製造する手順等について説明する。
このタイヤ製造装置では、従来のタイヤ成型工程と同様に、コア１の外面に、インナーライナ等の各種タイヤ構成部材を順次配置して積層する等し、所定形状及び構造の未加硫のタイヤを成型する。その際、ここでは、タイヤ成型時に最初にコア１の外面にタイヤ構成部材Ｔを直接配置するときに、上記した吸引手段により吸引することで、コア１の外面に開口する複数の孔Ｈを介して、配置されるタイヤ構成部材Ｔを吸引してコア１の外面に吸着して保持する。
【００２０】
この孔Ｈを介した吸引・保持を、少なくともタイヤ構成部材Ｔの配置開始から終了まで継続し、配置されるタイヤ構成部材Ｔを配置位置に応じて順次吸着し、コア１の外面に密着させて、対向するタイヤ構成部材Ｔの全体をコア１で保持する。続いて、その外面側の所定位置に、カーカスやビードコア、ベルト等の他のタイヤ構成部材を順に配置して組み合わせ、更に、外周面や側面にリボン状ゴムを積層してトレッドゴムやサイドウォールを形成する等して、未加硫のタイヤを形成（成型）する。
【００２１】
また、タイヤ製造装置は、このコア１の外面に形成したタイヤを、コア１とともに加硫機（図示せず）の加硫モールド（外型）内に収納し、加硫モールド内面とコア１外面との間に形成されるキャビティ内に配置する。その状態で、未加硫のタイヤを、コア１及び加硫モールド側の内外面から加熱しつつ両面により型付けして加硫を進行させ、その内外面を、外周部のトレッドパターンを含む所定の製品形状に形成して加硫成型する。併せて、このタイヤ製造装置では、上記したように、加硫時のタイヤとコア１の外面との間の気体を、コア１に形成した複数の孔Ｈを介してコア１内に排気し、その外面とタイヤ内面との密着度を高めた状態で加硫成型を行う。
【００２２】
その後、所定時間が経過する等してタイヤの加硫が完了したことを条件に、加硫後のタイヤとコア１とを加硫モールド内から取り出し、タイヤ内からコア１の各セグメント１０、２０を上記のようにして取り出し、検査等の後工程を経て製品タイヤの製造が完了する。
【００２３】
以上説明したように、本実施形態では、コア１にタイヤ構成部材Ｔを吸引して保持するための複数の孔Ｈを設け、タイヤ成型時に、各孔Ｈを介して吸引することで、コア１の外面にタイヤ構成部材Ｔを吸着する。これにより、コア１の外面に、接着剤を塗布することなく、配置されるタイヤ構成部材Ｔを吸着して確実に保持できるため、接着剤の塗布作業の手間や時間等を削減できるとともに、タイヤの成型を円滑に行うこともでき、タイヤ製造の生産性を高めることができる。同時に、タイヤ構成部材Ｔとコア１外面との密着性が高くなり、それらの間に気体が入り込んで残存するのを抑制することもできる。その結果、この両面間の気体に起因して、加硫時にタイヤ内面部材が未加硫状態になる等、上記した製品タイヤに生じる不良や不具合の発生を抑制することもできる。
【００２４】
加えて、このタイヤ製造装置では、加硫時までタイヤとコア１外面との間に気体が残存し、或いは、加硫中に気体が発生した場合であっても、加硫時に、このような気体を、コア１の複数の孔Ｈを介して外部（コア１の内部空間）に排気する。そのため、加硫時にも、コア１とタイヤ間に気体が入り込むのを抑制でき、この気体に伴う上記した各問題の発生を、より確実かつ効果的に抑制することができる。
【００２５】
従って、本実施形態によれば、タイヤ成型時に、コア１の外面に、接着剤を塗布することなくタイヤ構成部材Ｔを保持でき、タイヤ製造の生産性を向上させることができる。また、加硫時のタイヤとコア１外面との間に気体が入り込んで残るのを抑制でき、製品不良や不具合の発生を低減することができる。
【００２６】
ここで、本実施形態では、加硫中のタイヤとコア１間の気体を、熱膨張するタイヤからの圧力等で複数の孔Ｈから排気するが、この気体は、例えば、コア１に上記した吸引手段と同様に構成される吸引手段を設ける等して、複数の孔Ｈを介してコア１の内側から吸引して排気するようにしてもよい。このようにすることで、加硫時のタイヤとコア１外面との間の気体を、より確実に排気して上記した各問題の発生を、より一層低減することができる。
【００２７】
また、このタイヤ製造装置では、コア１の複数の孔Ｈを、全て略円形に形成したが、この孔Ｈは、楕円形状や三角形状、又は略矩形状等の、コア１の内外面間を連通させる他の形状に形成してもよい。
図３は、このように、孔Ｈを他の形状に形成したコア１’の例を模式的に示す斜視図であり、図２に対応して１つのセグメント２０を拡大して示している。
【００２８】
ここでは、図示のように、複数の孔Ｈを、それぞれ略矩形状に形成して、コア１’の外面（ここでは、セグメント２０の外面２１）に開口させ、コア１’のタイヤ構成部材Ｔが配置される範囲の全体に亘って、所定間隔で略均等に配置している。このように、複数の孔Ｈは、タイヤ構成部材Ｔの幅等、配置されるタイヤ構成部材Ｔに応じて、他の形状に形成してもよく、或いは、コア１’の外面への開口位置に応じて、適宜異なる形状に形成する等、複数形状の孔Ｈにより構成してもよい。
【図面の簡単な説明】
【００２９】
【図１】本実施形態のタイヤ製造装置が備えるコアを模式的に示す平面図である。
【図２】図１のコアの一部のセグメントを抜き出して模式的に示す斜視図である。
【図３】他の実施形態のコアの例を模式的に示す斜視図である。
【符号の説明】
【００３０】
１・・・コア、１’・・・コア、２・・・中央孔、１０・・・セグメント、２０・・・セグメント、２１・・・外面、２２・・・内面、Ｈ・・・孔、Ｔ・・・タイヤ構成部材。
【図１】
2009166281.tif 000003
【図２】
2009166281.tif 000004
【図３】
2009166281.tif 000005